(57)【特許請求の範囲】
【請求項１】
検体中の標的物質を検出する標的物質検出装置であって、
標的物質を捕捉する標的物質捕捉体が固定されたプラズモン共鳴現象を示す金属構造体が配置された基体を有する検出素子と、
前記検出素子における前記金属構造体が配置された面を横切るように、第一の方向の偏光成分を含む入射光を前記検出素子に照射させる機構を有する照明光学系と、
前記検出素子から透過又は反射された前記第一の方向の偏光成分を含む光を受光する受光素子と、
前記受光素子から得られた信号を演算し、前記検体の特性を求める演算装置とを有し、
前記照明光学系は前記第一の方向に偏光された入射光を照射する手段を有し、
前記検出素子における前記金属構造体は、前記第一の方向に第一の間隔を置いて列をなすように配置され、かつ、当該列が前記第一の方向と交差する第二の方向に第二の間隔で平行に並ぶように配置されており、前記第一の間隔が前記プラズモン共鳴波長の１０分の１以下であり、前記第二の間隔が前記プラズモン共鳴波長の４分の１以上、前記プラズモン共鳴波長以下であることを特徴とする標的物質検出装置。
【請求項２】
前記第一の方向と前記第二の方向が直交するように前記金属構造体が配置されたことを特徴とする請求項１に記載の標的物質検出装置。
【発明の詳細な説明】
【技術分野】
【０００１】
本発明は、検体中の標的物質を検出するための標的物質検出装置、及び標的物質検出方法に関する。
【背景技術】
【０００２】
近年、健康問題や環境問題、更には食の安全性の問題に対する意識の高まりと共に、これらの問題に関与する物質（いわゆる生体関連物質などの化学物質（以下、標的物質と略して記載する。））を検出する方法が望まれるようになってきた。このような検出対象である標的物質を検出するには高感度な検出技術が必要となる場合が多い。なぜなら、標的物質が含まれる試料の採取量は限られていることが多く、更に標的物質が血液中の蛋白質などの場合は、様々な物質が混在した検体中に標的物質が極微量しか含まれていないことがあるためである。このような理由のため、上記のような標的物質の検出方法においては、微量な検体に含まれる微量な標的物質を検出できるような高感度の検出技術が求められている。
【０００３】
このような要求に応えるためのひとつの手法として、金属粒子、若しくは金属構造体のプラズモン共鳴現象を利用した測定方法の開発が進められている。金属粒子、若しくは金属構造体に、ある波長帯域を持った入射光を照射すると、特定の波長帯で散乱や吸収が大きくなるという共鳴現象が確認できる。この現象が局在プラズモン共鳴（以下、プラズモン共鳴と略して記載する。）現象であり、吸収スペクトルが最大となる波長をプラズモン共鳴波長とよぶ。このとき、金属粒子、若しくは金属構造体を透過する透過光は、プラズモン共鳴波長において透過率が大幅に低下している。このプラズモン共鳴波長は、金属構造体の周囲の媒質の屈折率によって変化する。したがって、検体中の標的物質を金属構造体の近傍に集めることによって、プラズモン共鳴波長を変化させることが出来る。つまり標的物質を金属構造体の近傍に集める工程の前と後で、金属構造体に照射する入射光の吸収スペクトルは変化する。
【０００４】
金属粒子、若しくは金属構造体のプラズモン共鳴現象を上記検出技術として用いる場合、入射光の吸収スペクトルのシフト量、つまり、共鳴波長のシフト量や特定の波長における吸光度の変化量を検出することが多い。この場合、高感度な検出を実現するためには、プラズモン共鳴波長のシフト量が大きいことと、吸収スペクトルのピーク幅が狭いことを実現することが必要となる。
【０００５】
非特許文献１では、吸収スペクトルのシフト量が、光を照射した際に金属構造体近傍に生じる電場増強度と関与しており、電場増強度が大きい領域ほど吸収スペクトルのシフトに大きく寄与していることが示されている。
【０００６】
非特許文献２では、金属構造体間の距離が近くなることによって、金属構造体近傍に電場増強が生じることが示されている。さらに非特許文献３では、金属構造体間の距離が近くなることによって、吸収スペクトルのピーク幅が広がるということが記載されている。
【非特許文献１】Ｊ．Ｐｈｙｓ．Ｃｈｅｍ．Ｂ、２００４年、１０８巻、１号、ｐ．１０９−１１６
【非特許文献２】Ｊ．Ｐｈｙｓ．Ｃｈｅｍ．Ｂ、２００５年、１０９巻、８号、ｐ．３１９５−３１９８
【非特許文献３】Ｏｐｔｉｃｓ  Ｃｏｍｍｕｎｉｃａｔｉｏｎｓ、２００３年、２２０巻、１−３号、ｐ．１３７−１４１
【発明の開示】
【発明が解決しようとする課題】
【０００７】
非特許文献１では、プラズモン共鳴現象を起こす金微粒子がランダムに配置されているため、金微粒子間の距離がランダムになってしまう。プラズモン共鳴の共鳴条件は金粒子間の距離によっても変化するため、共鳴条件に広がりが生じる。その結果、吸収スペクトルのピーク幅が広がり、検出感度の低下を引き起こす。
【０００８】
また、非特許文献２、３のように金属構造体間の距離を小さくすると、金属構造体間における電場増強度を大きくでき、プラズモン共鳴波長のシフト量の増大が見込める。しかし、非特許文献２、３にも示されているように、吸収スペクトルのピーク幅は広がってしまう。このように、プラズモン共鳴波長の変化量を大きくすることと、吸収スペクトルのピーク幅を狭くすることを、同時に満たすことは困難である。したがって、高い感度で標的物質を検出するための標的物質検出装置を作成することは困難であった。
【０００９】
本発明の目的は、上記従来技術の課題に鑑み、標的物質を高感度に検出することができる検出装置及び検出方法を提供することである。
【課題を解決するための手段】
【００１０】
上記目的を達成するため本発明は、検体中の標的物質を検出する標的物質検出装置であって、標的物質を捕捉する標的物質捕捉体が固定されたプラズモン共鳴現象を示す金属構造体が配置された基体を有する検出素子と、前記検出素子における前記金属構造体が配置された面を横切るように、第一の方向の偏光成分を含む入射光を前記検出素子に照射させる機構を有する照明光学系と、前記検出素子から透過又は反射された前記第一の方向の偏光成分を含む光を受光する受光素子と、前記受光素子から得られた信号を演算し、前記検体の特性を求める演算装置とを有し、前記検出素子における前記金属構造体は、前記第一の方向に第一の間隔を置いて列をなすように配置され、かつ、当該列が前記第一の方向と交差する第二の方向に第二の間隔で平行に並ぶように配置されており、前記第一の間隔が前記プラズモン共鳴波長の１０分の１以下であり、前記第二の間隔が前記プラズモン共鳴波長の４分の１以上、前記プラズモン共鳴波長以下であることを特徴とする。
【００１１】
また本発明は、検体中の標的物質を検出する標的物質検出方法であって、標的物質を捕捉する標的物質捕捉体が固定されたプラズモン共鳴現象を示す金属構造体が配置された基体を有する検出素子に、前記検体を接触させる接触工程と、前記検出素子における前記金属構造体が配置された面を横切るように、第一の方向の偏光成分が含まれる入射光を照射する照射工程と、前記検出素子から透過又は反射された前記第一の方向の偏光成分が含まれる光を、受光素子により受光する受光工程と、前記受光素子によって得られた信号を演算し、前記検体の特性を求める演算工程とを有することを特徴とする。
【発明の効果】
【００１２】
本発明によれば、検体中の標的物質を検出する感度を向上することができる。
【発明を実施するための最良の形態】
【００１３】
以下、本発明の実施形態について図面を参照して説明する。
【００１４】
図１は本発明の標的物質検出装置の構成を示す概念図である。標的物質検出装置は、検出素子１０１と、検出素子１０１に光を照射させるための照明光学系１０２と、検出素子１０１を透過した光を受光する受光素子１０３と、受光素子１０３で得られた信号を演算し、検体の特性を求める演算装置１０４を有する。
【００１５】
ここでは、検出素子を透過した光を受光する場合について説明したが、反射光学系を構築することで、検出素子から反射した光をもとに検体中の標的物質を検出する標的物質検出装置としても良い。このとき受光素子は、検出素子から反射した光を受光することができるように配置される。
【００１６】
以下、検出素子１０１、照明光学系１０２、受光素子１０３、演算装置１０４について詳細に説明する。
【００１７】
（検出素子）
図２は、検出素子１０１の一構成を示す斜視図である。検出素子１０１は、基体２０２と、基体２０２表面に配置された複数の金属構造体２０３とからなる。また、金属構造体２０３には標的物質を特異的に捕捉するための標的物質捕捉体２０４が固定されている。また図２では、金属構造体２０３の前面に標的物質捕捉体２０４が描かれていないが、前面には標的物質捕捉体２０４が固定されていても良い。また、金属構造体２０３を基体２０２に配置させるために、基体２０２と金属構造体２０３との間に接着層を有していても構わない。
【００１８】
基体２０２としては、金属構造体２０３を配置するための面を有するものであれば、いかなるものでも良いし、いかなる形状でもかまわない。ただし、検出に用いる光の波長帯に属する透過光（以下、検出光と記載する。）の透過率が高いものが好ましい。さらに好ましくは、基体２０２の屈折率が、標的物質を検出するときに存在する金属構造体２０３の周囲の媒質の屈折率と近いことが好ましい。そうすることにより、周囲の媒質と金属構造体２０３との界面、基体２０２と金属構造体２０３との両界面におけるプラズモン共鳴条件が近くなる。したがって、プラズモン共鳴条件の広がりを抑えることができ、検出素子１０１に照射する入射光の吸収スペクトルのピーク幅を狭くすることができる。また基体２０２の屈折率は、吸収スペクトルのピーク幅を十分狭くすることができれば、周囲の媒質の屈折率と差を有していても構わない。
【００１９】
検出光の透過率が高い材料としては、シリカ、石英、ポリメタクリル酸メチル（ＰＭＭＡ）、ポリスチレン、アモルファスフッ素樹脂、酸化インジウムスズ（ＩＴＯ）などが挙げられる。
【００２０】
金属構造体２０３としては、プラズモン共鳴現象を示す金属を用いる。具体的には、金、銀、銅、アルミニウム、白金、亜鉛、これらの元素の二種以上からなる合金、これらの元素の少なくとも一種を含む合金を挙げることができる。好ましくは、プラズモン共鳴現象を顕著に示す金や銀が挙げられる。
【００２１】
本発明におけるプラズモン共鳴波長は、金属構造体２０３に広帯域の光を照射した際、ある特定の波長帯で透過率が低下する場合の、透過率が最小値となるときの波長とする。図３は、検出素子１０１を透過した光の透過スペクトルを示すグラフである。このとき用いられた検出素子１０１には、一辺のサイズが１００ｎｍであり高さが５０ｎｍの直方体状の金が、４００ｎｍ間隔を有して正方格子状に配置されている。また、金の周囲の媒質として、水（屈折率１．３３５０）を使用している。このとき図３に示されるように、透過スペクトル３０１は７４５ｎｍで最小値をとる。したがって、このときのプラズモン共鳴波長３０２は、７４５ｎｍである。
【００２２】
また、プラズモン共鳴波長は、金属構造体２０３の金属種、大きさ、配置などにより変化する。したがって、金属構造体２０３の金属種、大きさ、配置は、標的物質の検出感度を高めるように構成する必要がある。
【００２３】
金属構造体２０３の形状は、いかなるものでも良い。例えば、球形、略球形といった多面でない形状でも良いし、球形状あるいは略球形状の一部を切り取った形状、円柱、多角柱、円錐、角錐、厚さを持ったリング形状、厚さを持った井型、田型形状などの種々の多面体形状などでも良い。また金属構造体２０３として金属粒子を用いてもよい。もちろん、その金属粒子の形状は真球である必要はなく、多面体などであってもよい。
【００２４】
また、金属構造体２０３の大きさについて、金属構造体２０３の体積に対して捕捉される標的物質の体積の変化量が大きい場合、金属構造体２０３に対する周囲の屈折率の変化率が大きいと考えられる。このときプラズモン共鳴条件の変化は大きくなるため、標的物質を高感度に検出することが可能となる。つまり、金属構造体２０３は小さいことが好ましい。しかし、金属構造体２０３が小さくなりすぎるとプラズモン共鳴による吸光度が小さくなるため、標的物質が捕捉される前後において、特定の波長における吸光度の変化が小さくなってしまう。つまり、吸収スペクトル変化量自体を検出することが困難となる。
【００２５】
さらに、吸収スペクトルのシフト量を大きくするためには、標的物質が標的物質捕捉体２０４に捕捉された影響により、金属構造体２０３のプラズモン共鳴波長が十分に変化しなければならない。つまり、周囲の媒質の変化によってプラズモン共鳴波長が十分に変化する領域と、標的物質が捕捉される領域（標的物質捕捉体２０４を含む領域）が、同程度とすることが好ましい。この領域は、入射光を照射することによって生じる電場が増強される領域と同程度とする。このとき、電場が増強される領域は金属構造体２０３の大きさの２分の１程度とされるため、金属構造体２０３の大きさは、標的物質の大きさにもよるが、２０ｎｍ〜１００ｎｍであることが好ましい。ここで、金属構造体２０３の大きさとは、基体２０２に固定された金属構造体２０３が配置された面と平行な金属構造体２０３の断面における最大幅のことをいう。
【００２６】
さらに、金属構造体２０３の配置について、図４を参照して説明する。図４（ａ）は検出素子１０１の斜視図であり、図４（ｂ）は検出素子１０１の上面図である。ただし、標的物質捕捉体２０４は図示されていない。図４（ａ）、（ｂ）に示すように、基体２０２に配置された金属構造体２０３は、第一の方向４０６に第一の間隔４０２を有して列をなすように配置されている。その上、金属構造体２０３は、当該列が第一の方向４０６と直交する第二の方向４０７に第二の間隔４０３で平行に並べることにより、第一の方向４０６と直交する第二の方向４０７にも列をなすように配置されている。尚、第二の間隔４０３は、第一の間隔４０２よりも大きく設定する。
【００２７】
また、ここでは第一の方向４０６と第二の方向４０７を直交するように配置したが、第一の方向４０６と第二の方向４０７は交差していれば、直交していなくても構わない。
【００２８】
また、検出素子１０１に照射する入射光４０４の照射方向は、金属構造体２０３が配置された面の法線方向であることが好ましい。さらに、入射光の偏光方向４０５が、第一の方向４０６と平行であることが好ましい。そうすることにより、金属構造体２０３に入射光４０４を照射したとき、金属構造体２０３間における標的物質が捕捉される領域の電場増強度が大きくなり、標的物質が捕捉された際のプラズモン共鳴波長が大きくシフトする。
【００２９】
上記、第一の間隔４０２の距離とプラズモン共鳴波長のシフト量、また、標的物質の検出性能の指標となる透過率の差分スペクトルを電磁界シミュレーションにより示す。シミュレーションに用いた検出素子１０１の構成は図５（ａ）に示すような構成であり、それぞれの金属構造体２０３は図５（ｂ）に示す形状である。以下に、検出素子１０１の構成や金属構造体２０３の形状など、シミュレーションに用いた条件を列挙する。
・金属構造体２０３の金属種：金（Ａｕ）
・金属構造体２０３の形状と大きさ：一辺が５０ｎｍの立方体
・第一の間隔４０２：４０ｎｍ、７０ｎｍ、１００ｎｍ、もしくは１３０ｎｍ
・第二の間隔４０３：４５０ｎｍ
・基体２０２：石英（ＳｉＯ2）基板
・金属構造体２０３の周囲の媒質：水
ここで、入射光４０４の偏光方向４０５は第一の方向４０６であり、基体２０２の下面から金属構造体２０３が配置された面に向かって垂直に照射される。
【００３０】
金属構造体２０３の表面には、標的物質捕捉体と仮定される物質として１０ｎｍの誘電体膜で覆っておく。この状態において検出素子１０１を透過した光の透過スペクトルと、上記の誘電体膜表面にさらに標的物質と仮定される誘電体膜を１０ｎｍ覆った状態での透過スペクトルをシミュレーションにより計算した。
【００３１】
第一の間隔４０２が４０ｎｍのとき、標的物質と仮定される誘電体膜が覆われる前後における透過スペクトルは図６（ａ）に示される通りである。また図６（ｂ）は、標的物質と仮定される誘電体膜が覆われる前後におけるプラズモン共鳴波長のシフト量と、第一の間隔４０２との関係を図示したものである。第一の間隔４０２が大きくなるに従い、プラズモン共鳴波長のシフト量は小さくなり、一定の値に漸近している。これは、第一の間隔４０２が大きくなることで、金属構造体２０３間の相互作用が小さくなり、金属構造体２０３間の標的物質が捕捉される領域の電場増強が小さくなることが原因と考えられる。
【００３２】
図６（ｃ）は、標的物質と仮定される誘電体膜が覆われる前後の透過スペクトルの差分である差分スペクトルを図示したものである。第一の間隔が４０ｎｍのときの差分スペクトルでは、差分値の最大値が最も大きい。また、第一の間隔４０２が大きくなるに従って、差分値の最大値は小さくなる。つまり、プラズモン共鳴波長のシフト量が大きくなるに従って、差分値の最大値も大きくなることが確認できる。本シミュレーションにおける検出素子１０１の構造では、プラズモン共鳴波長のシフト量と第一の間隔との関係から、第一の間隔４０２が８０ｎｍ程度より小さい領域で、プラズモン共鳴波長のシフト量が増大する効果があると言える。また、波長が１００ｎｍを超える領域では、プラズモン共鳴波長のシフト量が増大する効果はないといえる。
【００３３】
したがって本シミュレーションでは、第一の間隔４０２は８０ｎｍ程度以下であることが好ましいといえる。また、本シミュレーションの金属構造体２０３におけるプラズモン共鳴波長は、周囲の媒質が水であり、かつ誘電体層１０ｎｍが金属構造体２０３を覆う場合、７６０ｎｍ程度となる。金属構造体２０３の構成によりプラズモン共鳴波長が異なることを考慮すると、第一の間隔４０２はプラズモン共鳴波長の１０分の１以下とすることが好ましい。
【００３４】
ただし、第一の間隔４０２は、標的物質と標的物質を捕捉する標的物質捕捉体２０４とが存在できる大きさを有することが求められる。したがって、標的物質や標的物質捕捉体２０４の大きさにもよるが、第一の間隔４０２は少なくとも１ｎｍは必要であると考えられる。しかし、金属構造体２０３を近づけすぎると、隣接した金属構造体２０３で起こるプラズモン共鳴が相互作用を起こし、金属構造体２０３周辺に増強される電場の局在度が低下するため、スペクトルのピーク幅が広がることが考えられる。上記電場の局在度を低下させないためには、第一の間隔４０２は、第一の方向４０６における金属構造体２０３の幅の２分の１以上であることが必要と考えられる。したがって、第一の間隔４０２は第一の方向４０６における金属構造体２０３の幅の２分の１以上、プラズモン共鳴波長の１０分の１以下であることが好ましい。
【００３５】
上記のように第一の間隔４０２を狭くした場合、金属構造体２０３は第一の方向４０６に対して、直線形状に近い構造となる。このとき、検出素子１０１はスリット幅が第二の間隔４０３であるようなスリットと同様な効果を生じると考えられる。つまり、第二の間隔４０３が小さくなるに従って、スリット幅の小さなスリットと見なせるようになる。スリットは、入射光に対して、ある波長よりも長波長側の光を透過し得なくし、長波長側の透過率を低下させるという特徴を有する。したがって、第二の間隔４０３が小さい場合、透過光の強度は小さくなり、透過光のスペクトルのピーク幅を広げることが考えられる。
【００３６】
以下、金属構造体２０３がスリット上に形成されている場合において、スリット幅と透過スペクトルとの関係を、電磁界シミュレーションによって示す。ここでは検出素子として、第一の方向４０６に直線上の金が形成されており、第二の間隔４０３を変化させた場合の透過スペクトルの変化について計算した。以下に、検出素子の構成や金属構造体の形状など、シミュレーションに用いた条件を列挙する。
・金属構造体の金属種：金（Ａｕ）
・金属構造体の形状：断面が５０ｎｍ×５０ｎｍの正方形
・第二の間隔：１５０ｎｍ、２００ｎｍ、２５０ｎｍ、３００ｎｍ、もしくは４５０ｎｍ
・基体：石英（ＳｉＯ2）基板
本シミュレーションにおいて、第一の方向４０６に偏光された入射光を、石英基板の下面から金スリットの固定された面に対し垂直に照射させる。
【００３７】
図７は、それぞれの第二の間隔に対する透過スペクトルを、電磁界シミュレーションによって計算した結果を示すグラフである。図７に示すように、第二の間隔が小さくなるに従い、透過率が低下していることがわかる。
【００３８】
例えば図５のように構成された第一の間隔４０２が４０ｎｍである検出素子１０１の場合、上述のようにプラズモン共鳴波長は７６０ｎｍ程度となる。図７に示すように、７６０ｎｍあたりの波長における透過率の低下は、第二の間隔４０３が１５０ｎｍのときに顕著に起こっている。したがって、第二の間隔４０３が２００ｎｍ程度以下の場合は、透過率が低下するため、透過スペクトルのピーク幅を広げることが考えられる。したがって、標的物質の検出感度を高めるには、第二の間隔４０３をプラズモン共鳴波長の４分の１以上とすることが好ましい。
【００３９】
上記のように第二の間隔４０３が大きくすると、スリットとしての影響は小さくなり、スペクトルのピーク幅が狭くなるとが考えられる。しかし第二の間隔４０３が大きすぎると、入射光の照射領域に対する金属構造体２０３の占める割合が小さくなるため、吸光度が小さくなる。この場合、標的物質が捕捉される前後における吸光度の変化も小さくなることが考えられる。そのため、第二の間隔４０３は大きくしすぎないことが好ましい。
【００４０】
以下、第二の間隔４０３が大きい場合の透過スペクトルを、電磁界シミュレーションによって計算した結果について説明する。尚、この場合の電磁界シミュレーションにおける検出素子１０１は、図５（ａ）に示す構成と同様のものを用いるが、第一の間隔４０２と第二の間隔４０３が異なるものを使用する。以下に、検出素子１０１の構成や金属構造体２０３の形状など、本シミュレーションに用いた条件を列挙する。
・金属構造体２０３の金属種：金（Ａｕ）
・金属構造体２０３の形状と大きさ：一辺が５０ｎｍの立方体
・第一の間隔４０２：４０ｎｍ
・第二の間隔４０３：３５０ｎｍ、４５０ｎｍ、５５０ｎｍ、もしくは６５０ｎｍ
・基体２０２：石英（ＳｉＯ2）基板
・金属構造体２０３の周囲の媒質：水
本シミュレーションにおいても、誘電体膜が１０ｎｍまたは２０ｎｍ覆われた金属構造体２０３の透過スペクトルと、その差分スペクトルを計算した。
【００４１】
図８は、本シミュレーションの結果を図示したものである。図８（ａ）は、それぞれの第二の間隔４０３にて透過スペクトルを示したグラフである。第二の間隔４０３が大きくなるに従い、金属構造体２０３の占有領域が小さくなるため、透過率の低下が小さくなることが確認できる。また、第二の間隔４０３が３５０ｎｍから４５０ｎｍに広がる際、スペクトル幅が狭くなる。その結果、センサ性能の指標となる差分値が大きくなることが確認できる。
【００４２】
図８（ａ）で示されるように、第二の間隔４０３が５５０ｎｍであり、誘電体膜の厚さが１０ｎｍの場合、プラズモン共鳴による透過率の低下は小さい。しかし、誘電体膜の厚さが２０ｎｍになると透過率の低下は大きくなり、図８（ｂ）に示されるように、その差分値の絶対値が大きな値となるので、更なる標的物質の検出の感度が向上する可能性がある。
【００４３】
また、第二の間隔４０３が６５０ｎｍの場合、プラズモン共鳴における透過率の低下は小さい。また、図８（ｂ）のように、その差分値の絶対値も小さいため、標的物質検出の感度はよくない。したがって第二の間隔４０３が６５０ｎｍ以上である場合、検出装置として好ましくない。
【００４４】
上記の様々な電磁界シミュレーションの結果より、第二の間隔４０３はプラズモン共鳴波長の４分の１以上、プラズモン共鳴波長以下であることが好ましい。
【００４５】
金属構造体２０３に固定されている標的物質捕捉体２０４は、標的物質を特異的に捕捉するものであれば特に限定なく利用できる。特異的な捕捉に関しては、本発明の検出素子１０１に固定された標的物質捕捉体２０４と標的物質との接触の前後における物理的または化学的な変化が検出可能であれば、いかなる種類の相互作用によるものでも良い。好ましい相互作用としては、抗原−抗体反応、抗原−アプタマー（特定構造を有するＲＮＡ断片）、リガンド−レセプター相互作用、ＤＮＡハイブリダイゼーション、ＤＮＡ−タンパク質（例えば、転写因子。）相互作用、レクチン−糖鎖相互作用、などが挙げられる。
【００４６】
また、標的物質は、上記の相互作用を含む任意の相互作用によって標的物質捕捉体に特異的に捕捉されることで、検出素子１０１により検出されるものであれば、いかなる物質も限定なく利用することが出来る。
【００４７】
標的物質および標的物質捕捉体２０４の主な例としては、生体物質が挙げられる。生体物質としては、核酸、タンパク質、糖鎖、脂質及びそれらの複合体から選択される生体物質が含まる。更に詳しくは、核酸、タンパク質、糖鎖、脂質から選択される生体分子を含んでなるものである。具体的には、ＤＮＡ、ＲＮＡ、アプタマー、遺伝子、染色体、細胞膜、ウイルス、抗原、抗体、レクチン、ハプテン、ホルモン、レセプタ、酵素、ペプチドの何れかから選択された物質を含むものであれば、如何なる物質にも本発明を適用することができる。更には、上記の生体物質には生体物質を産生する細菌や細胞も含まれる。つまり、それらの細菌や細胞も標的物質および標的物質捕捉体２０４となり得る。
【００４８】
（照明光学系）
照明光学系１０２は、金属構造体２０３がプラズモン共鳴現象を起こす波長帯を含む光を、検出素子１０１における金属構造体が配置された面を横切るように照射させることができれば、いかなるものでも良い。照明光学系１０２を構成する光源としては、レーザー、ＬＥＤ等、種々のものが用いられる。共鳴波長のシフト量を検出する場合、スペクトルを測定するため、広帯域な白色光源が好ましい。このような広帯域な白色光源としては、ハロゲンランプ、タングステンランプ、キセノンランプ等が挙げられる。また、特定の波長における吸光度変化を検出する場合、出力強度が大きくて安定しているレーザー等を利用することが好ましい。
【００４９】
また、照明光学系１０２には、入射光４０４を第一の方向４０６に偏光させる機能を有することが好ましい。検出素子１０１における第一の方向４０６に偏光された光を照射することで、第一の方向４０６における金属構造体２０３間の電場の増強を効率良く起こすことが可能となる。
【００５０】
入射光４０４を偏光させるには、いかなる方法を用いても良いが、例えば光源からの入射光４０４を偏光板に通すことにより実現される。
【００５１】
尚、本発明の標的物質検出装置は、照明光学系１０２と検出素子１０１との間に種々の光学系を有していても良い。例として、検出素子１０１の金属構造体２０３が配置されている領域が非常に狭い場合について説明する。この場合、入射光を集光する必要がある。光源と検出素子１０１の間に照射領域を調整するためのレンズ光学系、コリメートするための光学系（コリメーター）、を加えることによって、よりノイズの小さい計測が可能となる。
【００５２】
また、照明光学系１０２と検出素子１０１との間に限らず、光路中の任意の位置に種々の光学系を設けることが可能である。
【００５３】
図９は、照明光学系１０２から検出素子１０１へ照射させる光の照射方向を説明する図である。照明光学系１０２から、検出素子へ照射する入射光４０４の照射方向は、検出素子１０１の金属構造体２０３を有する面に光を照射できれば、どのような方向でもかまわない。金属構造体２０３が配置された面に対して垂直方向から照射させてもよいし、傾きを有していても良い。傾きを有する場合、図９（ｂ）に示すように検出素子における第一の方向４０６に対して傾きを有していても良いし、図９（ｃ）に示すように第二の方向４０７に対して傾きを有していても良い。また、図９（ｄ）のように、入射光は、基体２０２の金属構造体２０３を有する面の反対側の面から照射させても良い。
【００５４】
（受光素子）
受光素子１０３は、検出素子１０１を透過又は反射した光の強度やスペクトルなどの特性を検出できればいかなるものでも良い。標的物質の検出に利用される検出光の特性変化に合わせて選択することができる。また、第一の方向４０６と平行な偏光成分のみを選択的に受光する機能を有しているとさらに好ましい。この場合、例えば検出素子１０１を透過又は反射した光を、偏光板に通すことにより実現される。
【００５５】
透過光の強度変化を検出する場合、フォトダイオードや光電子増倍管（ＰＭＴ）などを受光素子として用いることができる。また、透過光のスペクトルのシフト量を検出する場合は、分光器を有する分光光学系を用いた検出器（所謂、分光器。）に受光素子１０３を備えた構成にすることが好ましい。このように分光光学系を用いる場合、検出素子１０１を透過した透過光をモノクロメーター、ポリクロメーター等の分光器に通すことで分光測定をすることができる。また、モノクロメーターのような分光光学系を用いて、入射光４０４が検出素子１０１に照射する前に分光させることで、検出素子１０１に照射する光の波長を様々に変化させてもよい。そのようにして透過光の強度を測定することで、透過光の透過スペクトル測定を行っても良い。
【００５６】
（演算装置）
演算装置１０４は、受光素子１０３により得られた信号から、標的物質が標的物質捕捉体２０４に捕捉される前後の透過光または反射光（以下、検出光という。）の特性変化を演算する手段である。演算する検出光の特性としては、検出光の強度変化でも良いし、検出光のスペクトル変化でも良い。そして、これらの信号を処理することで、検体が検出素子１０１の金属構造体２０３に接触した際に、検体中の標的物質が標的物質捕捉体２０４によって捕捉されたか否かを演算する。
【００５７】
また、信号処理により、標的物質の量を定量的に評価できる機構が備わっていれば、さらに好ましい。例えば、予め取得しておいた標的物質の量と、透過光の特性変化との相関関係を示すデータを、演算装置に入力しておく。そして、未知の検体中の標的物質を標的物質捕捉体２０４に捕捉する前と後における検出光の特性変化と、上記の相関関係を示すデータとを比較することによって、標的物質の量を演算することができる。
【００５８】
次に、本発明における標的物質検出方法における各工程について説明する。本発明の標的物質検出方法は、接触工程と、照射工程と、受光工程と、演算工程とを有する。
【００５９】
接触工程では、上記で説明した検出素子と検体とを接触させる。このとき、検体中に標的物質が含まれている場合、標的物質は検出素子が有する標的物質捕捉体に特異的に捕捉される。
【００６０】
照射工程では、照明光学系から検出素子に対して光を照射する。このとき、第一の方向４０６の偏光成分が含まれる光を照射する。また、入射光の偏光方向が第一の方向４０６であることが、さらに望ましい。
【００６１】
受光工程では、検出素子から透過又は反射された光を受光する。このとき、透過光、または反射光に対して、第一の方向４０６に偏光した光を選択的に受光することが望ましい。受光素子が光を受光すると、その光の特性に応じた信号を演算装置に送信する。
【００６２】
演算工程では、受光素子によって得られた信号を基に、検体中に標的物質の有無を演算する。このとき、演算装置は、標的物質の量を定量的に演算する手段を有することが望ましい。
【００６３】
（実施例１）
以下、標的物質検出装置、標的物質検出方法における実施例について説明する。図１０は本実施例における標的物質検出装置の構成を示す概念図である。標的物質検出装置は、検出素子１００１と、検出素子１００１に光を照射させるための照明光学系１００４と、検出素子１００１を透過した光を受光する受光素子と、受光素子で得られた信号を演算する演算装置１０１１を有する。
【００６４】
本実施例における照明光学系１００４は、ハロゲンランプ１００５と偏光板１００７から構成されている。ハロゲンランプ１００５は白色光源として利用可能であり、偏光板１００７はハロゲンランプ１００５から発せられる白色光１００６を、特定の方向に偏光させる。
【００６５】
また、検出素子１００１から透過した透過光１００９を受光する受光素子は、分光器１０１０を有する分光光学系に備わっている。分光器１０１０を用いることにより、透過光１００９の透過スペクトルを検出することができる。また、演算装置１０１１は、分光器１０１０から得られた信号を基に、検体中の標的物質の量を定量的に演算する手段を有する。
【００６６】
検出素子１００１は、金の構造体１００３が固定された石英基板１００２から構成される。図１１（ａ）は本実施例における、検出素子１００１の斜視図である。石英基板１００２上の金の構造体１００３は、第一の方向１１０２に４０ｎｍの間隔を置いて列をなすように配置されている。その上、当該列が第一の方向１１０２と直交する第二の方向１１０３に、４５０ｎｍの間隔で平行に並ぶように配置されている。そして金の構造体１００３は、第二の方向１１０３にも列を成すように配置されている。また金の構造体１００３の形状は、図１１（ｂ）に示すように、一片が５０ｎｍの立方体である。ここで、入射光１００８の偏光方向１１０１は、第一の方向１１０２と一致させるようにする。
【００６７】
石英基板１００２へ金の構造体１００３を配置するためには、例えば以下のようにして実施される。まず、膜厚５０ｎｍの金薄膜を、石英基板１００２上にスパッタリングにて形成する。そして、金薄膜上にネガレジストを塗布する。その後、電子線描画装置を用いて一辺５０ｎｍの正方形状に露光することによって、正方形状のレジストパターンを形成する。このレジストをマスクとして、ＩＣＰエッチャを用いて、レジストに覆われていない領域の金薄膜をエッチングする。エッチング後、マスクに用いたネガレジストをアッシャーにより除去する。この工程を経ることによって、図１１（ｂ）に示すような、一辺５０ｎｍの立方体形状の金の構造体１００３が作製できる。
【００６８】
ここでは、金の構造体１００３の作製に関して電子線描画装置を用いているが、作製精度や作製の容易性に応じて、集束イオンビーム加工装置、Ｘ線露光装置、紫外線露光装置、エキシマ露光装置のいずれを用いてもかまわない。また、本実施例ではエッチングによる方法を記載したが、リフトオフ法によって金の構造体１００３を作製してもかまわない。
【００６９】
図１２は、本実施例における標的物質検出装置の構成を示すブロック図である。演算装置１０１１は中央演算子１２０８と表示ユニット１２０７から構成される。中央演算子１２０８は、分光器１０１０を有する分光光学系１２０３に備わっている受光素子によって得られた信号を受信できるように、受光素子と接続されている。また、ハロゲンランプを用いた照明光学系１００４と受光素子との光軸上に、検出素子１００１における石英基板１００２に配置された金の構造体１００３を有する領域１２０６が位置するように配置されている。このとき、第一の方向１１０２と、照明光学系１００４から発せられる入射光１００８の偏光方向１１０１が一致するように構成する。また、検出素子１００１は筒状構造とし、その内部に金の構造体１００３が配置された面を有するように構成される。また、検出素子１００１の両端部を同様の筒状の構造をした筒状部材１２０４で接続する。一方の筒状部材１２０４は、検体を流入する流入口１２０１を有する。他方の筒状部材１２０４は検体を流出する流出口１２０２を有し、流出口１２０２には廃液リザーバ１２０９が取り付けられている。また、一方の筒状部材１２０４には、流入した検体を金の構造体１００３を有する領域１２０６を通し、流出口１２０２まで送り込むための送液ポンプ１２０５が構成されている。なお、流入口１２０１と流出口１２０２は、検体を注入するためだけではなく、標的物質捕捉体を金の構造体１００３に固定する目的においても利用することが出来る。
【００７０】
以下、標的物質としてヒトＣＲＰを用い、標的物質捕捉体として抗ヒトＣＲＰ抗体を用いる場合の例について説明する。まず、上記の標的物質検出装置が有する金の構造体１００３に、抗ヒトＣＲＰ抗体を固定する方法を説明する。送液ポンプを駆動し、金と親和性の高いチオール基を持つ１１−Ｍｅｒｃａｐｔｏｕｎｄｅｃａｎｏｉｃ  ａｃｉｄのエタノール溶液を流入口１２０１から流入する。このようにして、検出素子１００１内部に配置された金の構造体１００３を表面修飾する。その後、２種類の水溶液を流入口１２０１から流入する。このとき、流入する２種類の水溶液として、Ｎ−Ｈｙｄｒｏｘｙｓｕｌｆｏｓｕｃｃｉｎｉｍｉｄｅ水溶液と１−Ｅｔｈｙｌ−３−［３−ｄｉｍｅｔｈｙｌａｍｉｎｏ  ｐｒｏｐｙｌ］ｃａｒｂｏｄｉｉｍｉｄｅ  ｈｙｄｒｏｃｈｌｏｒｉｄｅ水溶液を用いた。両水溶液とも同仁化学研究所社製水溶液である。そして、上記水溶液を検出素子１００１内部の金の構造体１００３と接触させることによって、金の構造体１００３表面にスクシンイミド基が露出する。続いて、標的物質であるヒトＣＲＰを特異的に捕捉する抗ヒトＣＲＰ抗体を加えたトリス−塩酸緩衝液（ｐＨ８．０）を流入口１２０１から流入する。そうすることにより、抗ヒトＣＲＰ抗体を金の構造体１００３に固定することができる。
【００７１】
以下、検体中のヒトＣＲＰを検出する方法について説明する。まず、あらかじめ、ヒトＣＲＰを抗ヒトＣＲＰ抗体へ捕捉させる前に照射工程と、受光工程を実施する。照射工程として、検出素子１００１の金の構造体１００３を有する面に、入射光１００８を照射する。そして受光工程として、検出素子１００１を透過した透過光１００９を受光する。このとき分光光学系１２０３を用いて、透過光１００９のスペクトルを検出する。
【００７２】
次に接触工程として、ヒトＣＲＰを含んだ検体を、流入口１２０１から検出素子１００１内部へ流入し、金の構造体１００３を有する領域に１２０６供給する。このとき、抗原‐抗体反応によって、金の構造体１００３に固定された抗ヒトＣＲＰ抗体に、検体中のヒトＣＲＰが特異的に捕捉される。
【００７３】
その後、再び照射工程と受光工程を実施し、ヒトＣＲＰ捕捉後の透過光１００９のスペクトルを、分光光学系１２０３を用いて検出する。
【００７４】
最後に演算工程として、ヒトＣＲＰの捕捉前と捕捉後の透過光１００９のスペクトルを、演算装置１０１１が有する中央演算子１２０８によって比較する。ここで得られた透過光１００９のスペクトルの変化が、抗ヒトＣＲＰ抗体にヒトＣＲＰが捕捉されたことによって、プラズモン共鳴スペクトルが変化したことに起因するものである。このスペクトルの変化を演算した結果を、表示装置である表示ユニット１２０７に表示する。
【００７５】
本実施例では、中央演算子１２０８は、透過光１００９のスペクトルの変化の度合いから標的物質の濃度を求める。標的物質の濃度は、例えば以下のようにして演算することができる。まず、あらかじめ既知の複数濃度の検体を用いて、透過光１００９のスペクトル変化と濃度の関係を取得しておく。そして、この関係をもとに検量線を作成して、透過光１００９のスペクトル変化と濃度との関数を求めておく。この関数を用いることで、演算工程において得られたスペクトル変化をもとに、濃度が未知の標的物質の濃度を演算することができる。
【００７６】
ここで、スペクトル変化とは、吸光度が最大値（スペクトルピーク）となる波長の変化でもよいし、スペクトルピークの半値幅のようなピーク形状の変化でもよい。また、一つあるいは、複数の波長における吸光度の変化を用いても構わない。
【００７７】
本実施例では、上記の順序で標的物質を検出する方法について説明したが、各工程の順序は、標的物質が捕捉された前後における透過光のスペクトル変化を演算できれば、そのような順序でもかまわない。また、各工程を独立に実施する必要もない。さらに本実施例では、検出素子を透過した透過光の透過スペクトルの変化を利用して、濃度を演算したが、検出素子を反射する反射光のスペクトル変化を利用しても良い。
【００７８】
尚、本発明は上記の形態及び実施例に限定解釈されるものではない。例えば、上記の形態及び実施例の材料、組成条件、反応条件、部材や素子の配置等は、当業者が理解可能な範囲で自由に変更して本発明を実現することができる。
【図面の簡単な説明】
【００７９】
【図１】本発明の標的物質検出装置の構成を示す概念図。
【図２】図１における検出素子１０１の一構成を示す斜視図。
【図３】図１における検出素子を透過した光の透過スペクトルを示すグラフ。
【図４】（ａ）は図１の検出素子における金属構造体の配置の一例を示す斜視図であり、（ｂ）は図１の検出素子における金属構造体の配置の一例を示す上面図である。
【図５】図１の検出素子について電磁界シミュレーションを行った際の金属構造体の配列を示す概念図。
【図６】（ａ）は電磁界シミュレーションにおける透過スペクトルを示すグラフである。（ｂ）はプラズモン共鳴波長のシフト量を示すグラフである。（ｃ）は、差分スペクトルの結果を示すグラフである。
【図７】金スリットにおける電磁界シミュレーションの結果を示すグラフである。
【図８】本発明の検出素子の一例における電磁界シミュレーションの結果を示すグラフ。
【図９】本発明の標的物質検出装置における検出素子への光の照射方向を示す模式図である。
【図１０】本発明の実施例１に関する標的物質検出装置の構成を示す概念図である。
【図１１】（ａ）は、本発明の実施例１に関する検出素子の構成を示す斜視図である。（ｂ）は、検出素子における金の構造体の斜視図である。
【図１２】本発明の実施例１に関するブロック図である。
【符号の説明】
【００８０】
１０１    検出素子
１０２    照明光学系
１０３    受光素子
１０４    演算装置
２０２    基体
２０３    金属構造体
２０４    標的物質捕捉体
３０２    プラズモン共鳴波長
４０２    第一の間隔
４０３    第二の間隔
４０４    入射光
４０５    偏光方向
４０６    第一の方向
４０７    第二の方向
１００１  検出素子
１００２  石英基板
１００３  金の構造体
１００４  照明光学系
１００５  ハロゲンランプ
１００８  入射光
１００９  透過光
１０１０  分光器
１０１１  演算装置
１１０１  偏光方向
１２０３  分光光学系
１２０７  表示ユニット
１２０８  中央演算子
【図１】
0005294600.tif 000002
【図２】
0005294600.tif 000003
【図３】
0005294600.tif 000004
【図４】
0005294600.tif 000005
【図５】
0005294600.tif 000006
【図６】
0005294600.tif 000007
【図７】
0005294600.tif 000008
【図８】
0005294600.tif 000009
【図９】
0005294600.tif 000010
【図１０】
0005294600.tif 000011
【図１１】
0005294600.tif 000012
【図１２】
0005294600.tif 000013